(57)【要約】      （修正有）【課題】高圧ガス容器に対してバルブを取付けた状態でオープンキャップの着脱を可能にする高圧ガス容器へのオープンキャップの取付け構造を提供する。【解決手段】高圧ガス容器１へのオープンキャップの取付け構造を、高圧ガス容器の口金部２に、補助リング７を介して、挿入されたオープンキャップ３と、前記補助リングとオープンキャップの底部開口部をカバーするように前記口金部に挿入された押え金１１と、該押え金を前記高圧ガス容器の口金部に対して固定するＣ形止め輪４と、により構成されるものとなすとともに、高圧ガス容器の口金部に取付けるオープンキャップ及びその押え金を、高圧ガス容器の口金部に取付けたバルブを通過可能にする形状にしておく。【選択図】図１
0003159353.tif 000002
【実用新案登録請求の範囲】
【請求項１】
高圧ガス容器の口金部に、補助リングを介して、挿入されたオープンキャップと、前記補助リングとオープンキャップの底部開口部をカバーするように前記口金部に挿入された押え金と、該押え金を前記高圧ガス容器の口金部に対して固定するＣ形止め輪と、により構成される高圧ガス容器へのオープンキャップの取付け構造であって、前記オープンキャップ、補助リング、抑え金及びＣ形止め輪が下記の属性を有するものであることを特徴とする高圧ガス容器へのオープンキャップの取付け構造。
記
オープンキャップ：高圧ガス容器の口金部にバルブを締結し、かつ、Ｃ形止め輪を高圧ガス容器の口金部に仮設置した状態で、オープンキャップの底部開口部が、前記バルブの構成部材及びＣ形止め輪を通過することが可能な最小直径Ｄ１を有するものであること
補助リング：高圧ガス容器の口金部に装着可能な内径Ｄ２を有し、外径が前記Ｄ１である中空筒体であること
押え金：内径が高圧ガス容器の口金部に装着可能な内径Ｄ２を有し、口金部に挿入された状態で前記オープンキャップの底部上面の少なくとも一部を覆う外径Ｄ３を有する盤状リング体であって、該盤状リング体には、高圧ガス容器の口金部にバルブを締結し、かつ、押え金の内径面に対し、Ｃ形止め輪を高圧ガス容器の口金部に仮設置した状態で、該盤状リング体が、前記バルブの構成部材及びＣ形止め輪を通過することが可能な最小限度の切込み部が形成されているものであること
Ｃ形止め輪：高圧ガス容器の口金部に装着可能であり、前記押え金を介して前記オープンキャップを軸方向の移動を制限するものであること
【請求項２】
前記オープンキャップの底部開口部の直径は前記最小直径Ｄ１に加えて余裕代：０．０１Ｄ１〜０．０５Ｄ１が与えられているものであることを特徴とする請求項１記載の高圧ガス容器へのオープンキャップの取付け構造。
【請求項３】
高圧ガス容器の口金部には、さらに、バルブが締結されていることを特徴とする請求項１〜３のいずれかに記載の高圧ガス容器へのオープンキャップの取付け構造。
【考案の詳細な説明】
【技術分野】
【０００１】
本考案は高圧ガス容器のバルブ保護キャップの取付け構造に係り、特に容量：７．０ｌ、圧力：１１．７６ＭＰａ程度の炭酸ガス充填用の高圧ガス容器に用いられるバルブ保護用オープンキャップの取付け構造に関する。
【背景技術】
【０００２】
業務用のビールサーバの圧力源としては、高圧ガス容器に充填した炭酸ガス、特に容量：７．０ｌ程度の容器に充填した圧力：１１.７６ＭＰａ程度の炭酸ガスが利用される。このような炭酸ガスを充填した圧力容器は、充填された炭酸ガスを含んで、１０ｋｇ〜１５ｋｇの重さ（質量）があり、また、その頭部にはガスを開閉するためのバルブが取付けられているので、特許文献１に示すようなバルブ保護キャップ（このような形式の保護キャップは、一般にオープンキャップと呼ばれる）を取り付けて、その交換作業等の際のバルブの破損保護を図るとともに取扱作業の容易化を図っている。なお、ビールサーバ等への炭酸ガスの供給に当たっては、前記バルブに、さらに、調整器（減圧弁）が取付けられるようになっている。
【０００３】
上記高圧ガス容器、バルブおよびオープンキャップ等は、ほぼ標準化された製品や部品がそのまま利用されている。かかる標準品を用いる場合、これらの取付け作業は、図６に示すように、一般に、高圧ガス容器1の口金部2にまずオープンキャップ3を挿入し、これをC形止め輪４を用いて口金部2に止め、バルブ5を高圧ガス容器1に締結することによって行われ、しかる後、所定圧力に炭酸ガスが充填されるようになっている。この場合において、口金部2の外径は、上記のように標準品であることによって制限されており、そこに取付けられたオープンキャップは、バルブを取外さない限り、取り替え不可能になっている。
【０００４】
そのため、上記のオープンキャップ―バルブの取付け構造においては、例えば、その取扱い時の事故等により破損したオープンキャップを交換しようとするとき充填されたガスを放出し、次いで、バルブを取り外した後でなければ、オープンキャップの交換ができないという制約があり、また、バルブの取外しにはトルクレンチなど特殊工具を備える必要があり、高圧ガス容器の使用管理上の問題点となっていた。
【先行技術文献】
【特許文献】
【０００５】
【特許文献１】実用新案公報第３０３６８４９号
【考案の概要】
【考案が解決しようとする課題】
【０００６】
本考案は、上記問題点を解決することを目的とし、標準化された高圧ガス容器及びバルブを用いながら、高圧ガス容器に対してバルブを取付けた状態でオープンキャップの着脱を可能にする高圧ガス容器へのオープンキャップの取付け構造を提供することを目的とする。
【課題を解決するための手段】
【０００７】
本考案に係る高圧ガス容器へのオープンキャップの取付け構造は、高圧ガス容器の口金部に、補助リングを介して、挿入されたオープンキャップと、前記補助リングとオープンキャップの底部開口部をカバーするように前記口金部に挿入された押え金と、該押え金を前記高圧ガス容器の口金部に対して固定するＣ形止め輪と、により構成される高圧ガス容器へのオープンキャップの取付け構造であって、前記オープンキャップ、補助リング、押え金及びＣ形止め輪が下記の属性を有するものである。
記
オープンキャップ：高圧ガス容器の口金部にバルブを締結し、かつ、Ｃ形止め輪を高圧ガス容器の口金部に仮設置した状態で、オープンキャップの底部開口部が、前記バルブの構成部材及びＣ形止め輪を通過することが可能な最小直径Ｄ１を有するものであること
補助リング：高圧ガス容器の口金部に装着可能な内径Ｄ２を有し、外径が前記Ｄ１である中空筒体であること
押え金：内径が高圧ガス容器の口金部に装着可能な内径Ｄ２を有し、口金部に挿入された状態で前記オープンキャップの底部上面の少なくとも一部を覆う外径Ｄ３を有する盤状リング体であって、該盤状リング体には、高圧ガス容器の口金部にバルブを締結し、かつ、押え金の内径面に対し、Ｃ形止め輪を高圧ガス容器の口金部に仮設置した状態で、該盤状リング体が、前記バルブの構成部材及びＣ形止め輪を通過することが可能な最小限度の切込み部が形成されているものであること
Ｃ形止め輪：高圧ガス容器の口金部に装着可能であり、前記押え金を介して前記オープンキャップを軸方向の移動を制限するものであること
【０００８】
上記考案において、記オープンキャップの底部開口部の直径は前記最小直径Ｄ１に加えて余裕代：０．０１Ｄ１〜０．０５Ｄ１が与えられているものであることが好ましい。
【０００９】
上記各考案において、高圧ガス容器の口金部には、さらに、バルブが締結されているものとすることができる。
【考案の効果】
【００１０】
本考案により、標準化された高圧ガス容器及びバルブを用いながら、該容器に対してバルブを取付けた状態でオープンキャップの着脱を可能にすることが可能となり、オープンキャップが破損したとき、高圧ガス容器の使用者自身がその交換を容易に行うことができるようになる。
【図面の簡単な説明】
【００１１】
【図１】本考案に係るオープンキャップの取付け構造の概略構成を示す断面図である。
【図２】本考案において使用するオープンキャップの斜視図である。
【図３】本考案において使用する補助リングの斜視図である。
【図４】本考案において使用する押え金の平面図である。
【図５】本考案において使用する押え金の下降手順を高圧ガス容器上面からみたときの状態として示す解説図である。
【図６】従来の高圧ガス容器に対するオープンキャップ及びバルブの装着状態を示す斜視図である。
【考案を実施するための形態】
【００１２】
本考案に係る高圧ガス容器へのオープンキャップの取付け構造は、図１に示すように、高圧ガス容器1の口金部2に、補助リング7を介して、オープンキャップ3が挿入され、このオープンキャップ3が前記補助リング7とともに押え金11を介してＣ形止め輪4によって高圧ガス容器の口金部2に対して固定されたものとなっている。
【００１３】
この場合において、オープンキャップ3は、図２に示す形状をしており、その底部開口部31が、従来使用されている標準品に比べて、大きくとられている。これにより、高圧ガス容器1の口金部2にバルブ５と締結した状態で、高圧ガス容器1の口金部2に、補助リング7を介して、着脱可能になっている。また、このオープンキャップ31を高圧ガス容器の口金部2に固定する押え金11も、高圧ガス容器1の口金部2にバルブ５と締結した状態で、上部に抜き去り、あるいは、上部から挿入することができるようになっており、これによって、高圧ガス容器とオープンキャップとの係合状態を解除して、前記のように底部開口部31が大きくとられたオープンキャップ3を、高圧ガス容器1の口金部2にバルブ５と締結した状態で、上方に抜き去り、あるいは上方から取付け可能になっている。以下、上記の作用・効果を奏するための具体的条件を明らかにする。
【００１４】
（オープンキャップ）
オープンキャップ3は、図２に示すように、バルブ保護筒部32と高圧ガス容器の取付け部であるリング状部33を有し、該リング状部33には底部開口部31が開いている。本考案では、この底部開口部31の内径Ｄ１を大きくとり、高圧ガス容器の口金部にバルブを締結した状態でバルブの構成部材をすり抜けて高圧ガス容器の口金部2に装着可能としている。また、後に説明するように、オープンキャップ3は、高圧ガス容器の口金部2への固定に当たり、Ｃ形止め輪4を用いるので、その口金部2への仮設置状態において、Ｃ形止め輪4をすり抜けることができるように、上記底部開口部31の内径Ｄ１を大きく取っている。
【００１５】
このような底部開口部31の内径Ｄ１の決定は、底部開口部31の内径を種々に変更したオープンキャップを試作し、これを用いて、例えば、高圧ガス容器1にバルブ及びＣ形止め輪4を仮設置した状態の高圧ガス容器1に、オープンキャップを種々の方向に傾け、あるいは捻りながら、高圧ガス容器1にバルブ及びＣ形止め輪4を取付けた状態の高圧ガス容器1に挿通することができるかどうかを試し、挿通可能な内径を持つオープンキャップの径を本考案で採用する最小直径Ｄ１とすることにより行えばよい。なお、上記において、Ｃ形止め輪の仮設置とは、本考案の実施のためにＣ形止め輪を高圧ガス容器の口金部上端部近傍に仮設置することをいう。
【００１６】
（補助リング）
補助リング7は、図３に示すように、高圧ガス容器1の口金部2に嵌め込まれるリング体であって、該容器1の口金部2に上記のように拡大された内径Ｄ１を有するオープンキャップ3を嵌め込むための補助部材である。したがって、その内径Ｄ２は口金部2の外径とほぼ等しく、また、その外径は、オープンキャップ3の底部開口部31の最小直径Ｄ１とほぼ等しい。なお、その高さは、補助リングを用いて本考案に係る高圧ガス容器へのオープンキャップの取付け構造を完成させるに足る高さ、すなわち、オープンキャップ3を取付けたとき、そのリング状部31の上面と補助リング7の上面とが面一の面を形成する高さとすればよい。
【００１７】
（押え金）
押え金11は、図４に示すような形状を有し、図１に示すように、オープンキャップ3を、前記補助リング7を介して、口金部2に嵌め込んだ後、前記口金部2に嵌め込まれて、前記オープンキャップ及び補助リングを上から押さえつける役割を有する盤状リング体である。したがって、その内径は口金部2の外径Ｄ２とほぼ同一であり、その外径は前記オープンキャップ3の底部上面の少なくとも一部を覆う外径Ｄ３を有する。なお、その厚さは、Ｃ形止め輪と協働してオープンキャップを高圧ガス容器に対して固定できる程度の厚さで足りる。
【００１８】
この押え金11は、後に具体的に説明するように、口金部2にバルブ5を締着し、かつ、Ｃ形止め輪を仮設置した状態でバルブ及びＣ形止め輪と干渉することなく上方に抜き去り、或いは、バルブの上方からオープンキャップを押えこむ位置に移動できるようになっていなければならない。そのため、本考案においては、この押え金11の内径側に、図４に示すような切込み部112、113を形成し、これを種々の方向に傾け、あるいは捻りながら、高圧ガス容器1にバルブ及びＣ形止め輪4を取付けた状態の高圧ガス容器1に挿通することができるようにする。
【００１９】
具体的には、押え金11の内径側に、図４を参考にして、種々の形状の切込み部を半径方向に一対に形成した押え金11を試作し、これを種々の方向に傾け、あるいは捻りながら、高圧ガス容器1にバルブ及びＣ形止め輪4を仮設置した状態でバルブ及びＣ形止め輪と干渉することなく挿通することができるかどうかを試し、挿通可能な切込み部を持つもののうち、切込み部の大きさ（幅、切込深さ）が最小のものを本考案に係る押え金11とする。
【００２０】
（Ｃ形止め輪）
Ｃ形止め輪は、高圧ガス容器の口金部に装着可能であり、前記押え金を介して前記オープンキャップの軸方向への移動を制限するものであれば十分である。
【００２１】
本考案に係る高圧ガス容器へのオープンキャップの取付け構造は、上記構成部品を用いて下記取付け構造の組上げ手順により組上げることができ、また、このようにして組上げられたオープンキャップの取付け構造は、下記オープンキャップの交換手順により、高圧ガス容器の口金部にバルブ5を締着した状態で交換することができる。
【００２２】
（取付け構造の組上げ手順）
(1)高圧ガス容器の口金部に補助リングを嵌め込むとともに、該口金部上端にＣ形止め輪を仮設置する。
(2)バルブを、トルクレンチを用いて、規定トルクに締結する。
(3)オープンキャップを、種々の方向に傾け、あるいは捻って、バルブ及びＣ形止め輪の突起部を避けて下降させ、その底部開口部を前記高圧ガス容器の口金部に取付けた補助リングに嵌め込み、高圧ガス容器のネック部に設置する。
(4)同様の手順により押え金をバルブ及びＣ形止め輪の突起部を避けて下降させ、高圧ガス容器の口金部に取付ける。
(5)Ｃ形止め輪を高圧ガス容器の口金部の所定位置に移動して押え金を固定する。
なお、上記(4)の具体的手順は、図５及び表１に記載の解説を参照することにより明確に理解できる。また、この解説を参考にすることにより、押え金の切込み部やオープンキャップの底部開口部の設計を容易に進めることができる。
【００２３】
（オープンキャップの交換手順）
(1)Ｃ形止め輪を高圧ガス容器の口金部の上端部に移動して仮設置する。
(2)押え金をバルブ及びＣ形止め輪の突起部を避けて上方に移動して抜き取る。
(3)オープンキャップを、種々の方向に傾け、あるいは捻って、バルブ及びＣ形止め輪の突起部を避けて上昇させて抜き取る。
(4)交換用のオープンキャップを準備し、前記取付け構造の組上げ手順の手順(3)〜(5)にしたがい、取り付ける。
【００２４】
【表１】
0003159353.tif 000003
【００２５】
以上、本考案に係る高圧ガス容器へのオープンキャップの取付け構造及びその使用方法を、その典型例に基づいて説明したが、本考案の実施形態は、上記に限られるものではなく、例えば、オープンキャップの底部開口部にはＤ１に対してさらに余裕代を０．０１Ｄ１〜０．０５Ｄ１取ることができ、これにより、前記取付け構造の組上げ・交換作業をよりやりやすくすることができる。このような余裕代を取ることは、例えば、例えば押え金についても採用することができる。
【００２６】
また上記のように構成されたオープンキャップの取付け構造を有する高圧ガス容器は、例えば、オープンキャップが破損しても、バルブを取り外すことなく、容易に交換することができるなど、レストラン等における使用管理が容易になるなどの利点がある。
【符号の説明】
【００２７】
1：高圧ガス容器
2：（高圧ガス容器の）口金部
3：オープンキャップ
31：底部開口部
32：バルブ保護筒部
33：リング状部
4：C形止め輪
5：バルブ
11：押え金
112，113：切込み部
【図１】
0003159353.tif 000004
【図２】
0003159353.tif 000005
【図３】
0003159353.tif 000006
【図４】
0003159353.tif 000007
【図５】
0003159353.tif 000008
【図６】
0003159353.tif 000009
【手続補正書】
【提出日】平成22年3月11日(2010.3.11)
【手続補正１】
【補正対象書類名】実用新案登録請求の範囲
【補正対象項目名】請求項３
【補正方法】変更
【補正の内容】
【請求項３】
高圧ガス容器の口金部には、さらに、バルブが締結されていることを特徴とする請求項１又は２に記載の高圧ガス容器へのオープンキャップの取付け構造。